(57)【要約】  本発明は、移動端末を無線セルラー通信ネットワークの少なくとも１つの基地局によって検出することができるようにするための方法に関する。該方法は、移動端末の位置を表す情報を入手するステップと、移動端末の位置が、その移動端末に関連付けられる基地局の地理的エリア内に含まれる場合には、所定の信号を転送するステップとを含み、所定の信号は、基地局のセルにおいて信号を転送するための、第１の基地局に対する要求を表す。本発明は、関連するデバイスにも関する。
2011507420.tif 000002
【特許請求の範囲】
【請求項１】
移動端末を無線セルラー通信ネットワークの第１の基地局によって検出することができるようにするための方法であって、
前記移動端末の位置を表す情報を入手するステップと、
前記移動端末の前記位置が前記第１の基地局の地理的エリア内に含まれる場合には、所定の信号を転送するステップとを含み、該所定の信号は、前記第１の基地局のセルにおいて信号を転送するための、前記第１の基地局に対する要求を表すことを特徴とする、方法。
【請求項２】
前記第１の基地局は前記移動端末に関連付けられることを特徴とする、請求項１に記載の方法。
【請求項３】
前記無線セルラー通信ネットワークはサーバを含むことを特徴とし、
前記方法は、該サーバによって実行され、前記第１の基地局との通信リンクを確立するステップを含み、
前記所定の信号は、前記サーバによって前記第１の基地局に転送されると共に、該第１の基地局に、前記第１の基地局のセルにおいて信号を転送するように要求するメッセージであることを特徴とする、請求項１又は２に記載の方法。
【請求項４】
前記移動端末の前記位置を表す前記情報は、前記移動端末によって生成されて前記サーバによって受信されるメッセージから、前記サーバによって入手されることを特徴とする、請求項３に記載の方法。
【請求項５】
前記移動端末の前記位置を表す前記情報は、該移動端末が位置するセルを管理する第２の基地局を識別する情報から、前記サーバによって入手されることを特徴とする、請求項３に記載の方法。
【請求項６】
前記無線セルラー通信ネットワークは複数の基地局を含むことを特徴とし、
前記サーバは、
移動端末毎に、該移動端末に関連付けられる各第１の基地局を示す情報と、該移動端末に関連付けられる第１の基地局毎に、地理的エリアとを含むデータベースを維持するステップと、
前記移動端末の前記位置を表す情報から、且つ該移動端末に関連付けられる各第１の基地局の前記地理的エリアから、前記第１の基地局の前記セルにおいて信号を転送するための要求を表す前記所定の信号が転送されなければならない少なくとも１つの第１の基地局を識別するステップと
を実行することを特徴とする、請求項３〜５のいずれか一項に記載の方法。
【請求項７】
前記無線セルラー通信ネットワークは、前記移動端末が位置するセルを管理する第２の基地局を含むことを特徴とし、
前記方法は、前記第２の基地局によって実行されることを特徴とする、請求項１又は２に記載の方法。
【請求項８】
前記移動端末の前記位置を表す前記情報は、該移動端末によって生成されて前記第２の基地局によって受信されるメッセージから、前記第２の基地局によって入手されることを特徴とする、請求項７に記載の方法。
【請求項９】
前記第１の基地局に前記所定の信号を転送する前に、前記第１の基地局と前記第２の基地局との間に通信リンクを確立するステップを含むことを特徴とする、請求項７又は８に記載の方法。
【請求項１０】
前記移動端末によって実行されることを特徴とする、請求項１又は２に記載の方法。
【請求項１１】
前記所定の信号は、前記第１の基地局に転送されると共に、前記移動端末から前記第１の基地局にメッセージを送信するために用いられる周波数帯とは異なる周波数帯内で変調される所定の署名であることを特徴とする、請求項１０に記載の方法。
【請求項１２】
前記所定の信号は、前記第１の基地局に転送され、電波又は光波によって伝搬する所定の符号化されたエネルギーパルス列であることを特徴とする、請求項１０に記載の方法。
【請求項１３】
前記無線セルラー通信ネットワークはサーバを含むことを特徴とし、前記所定の信号は前記移動端末によって前記サーバに転送されるメッセージであることを特徴とする、請求項１０に記載の方法。
【請求項１４】
前記無線セルラー通信ネットワークは第２の基地局を含むことを特徴とし、前記所定の信号は前記移動端末によって前記第２の基地局に転送されるメッセージであることを特徴とする、請求項１０に記載の方法。
【請求項１５】
前記無線セルラー通信ネットワークは複数の基地局を含むことを特徴とし、前記移動端末は、該移動端末に関連付けられる第１の基地局毎に地理的エリアを示すデータベース情報を維持することを特徴とする、請求項１０〜１４のいずれか一項に記載の方法。
【請求項１６】
前記移動端末によって前記サーバ又は前記第２の基地局に送信されるメッセージは、前記移動端末の前記位置を表す情報を含むことを特徴とする、請求項１３又は１４に記載の方法。
【請求項１７】
前記送信されるメッセージは、前記移動端末に関連付けられる第１の基地局の少なくとも１つの識別子を含むことを特徴とする、請求項１３〜１６のいずれか一項に記載の方法。
【請求項１８】
前記移動端末の前記位置を表す前記情報は、全地球的航法衛星システムから得られることを特徴とする、請求項１〜１７のいずれか一項に記載の方法。
【請求項１９】
前記移動端末の前記位置を表す前記情報は、前記無線セルラー通信ネットワークの少なくとも１つの基地局の少なくとも１つの識別子から得られることを特徴とする、請求項１〜１８のいずれか一項に記載の方法。
【請求項２０】
前記移動端末に関連付けられる１つの第１の基地局の前記地理的エリアは、前記無線セルラー通信ネットワークの他の基地局のセル内の前記移動端末の位置を表す情報を記憶することによって更新され、該他の基地局は、該他の基地局の前記セルからの又は該他の基地局の前記セルへのセル再選択又はハンドオーバ手順が前記移動端末によって実行された基地局であることを特徴とする、請求項１０〜１９のいずれか一項に記載の方法。
【請求項２１】
前記移動端末の前記位置はタイムスタンプを付されることを特徴とし、前記移動端末の前記位置は、前記他の基地局の前記セルからの又は前記他の基地局の前記セルへの前記セル選択又はハンドオーバ手順が前記移動端末によって実行される時点において、前記移動端末の前記位置が十分に新しい場合に、該移動端末に関連付けられる１つの第１の基地局の前記地理的エリアの更新に用いられることを特徴とする、請求項２０に記載の方法。
【請求項２２】
移動端末を無線セルラー通信ネットワークの第１の基地局によって検出することができるようにするためのデバイスであって、
前記移動端末の位置を表す情報を入手する手段と、
前記移動端末の前記位置が前記第１の基地局の地理的エリア内に含まれる場合には、所定の信号を転送する手段とを備え、該所定の信号は、前記第１の基地局のセルにおいて信号を転送するための、前記第１の基地局に対する要求を表すことを特徴とする、デバイス。
【請求項２３】
前記無線セルラー通信ネットワークはサーバを含むことを特徴とし、前記デバイスは前記サーバに含まれることを特徴とする、請求項２２に記載のデバイス。
【請求項２４】
第２の基地局に含まれることを特徴とする、請求項２２に記載のデバイス。
【請求項２５】
前記移動端末に含まれることを特徴とする、請求項２２に記載のデバイス。
【請求項２６】
前記システムは代理サーバを含み、該代理サーバを通じて前記所定の信号が前記第１の基地局に転送されることを特徴とする、請求項２３〜２５のいずれか一項に記載のデバイスを備える、無線セルラー通信ネットワーク。
【請求項２７】
プログラム可能なデバイス内に直接ロード可能であり得るコンピュータプログラムであって、該コンピュータプログラムがプログラム可能なデバイスにおいて実行されるときに、請求項１〜２１のいずれか一項に記載の方法のステップを実施するための命令又はコードの一部を含む、コンピュータプログラム。
【発明の詳細な説明】
【技術分野】
【０００１】
本発明は、移動端末を少なくとも１つの基地局によって検出することができるようにするための方法及びデバイスに関する。
【０００２】
従来の無線セルラー通信ネットワークは、広いエリアにおいて、無線サービスのサービスエリアを提供する。無線セルラー通信ネットワークのサービスエリアを覆うために、マクロセルが用いられる。
【０００３】
マクロセルは約１０ｋｍ2のサービスエリアを有する。
【０００４】
各セルは１つの基地局によって制御され、その基地局は、そのセルの隣接するセルを制御する各基地局に接続されなければならない。
【０００５】
基地局のセットアップ時に、その基地局は、無線インタフェース、ネットワークインタフェース、すなわち、隣接する基地局との接続リンクを構成するインタフェース、及びサーバを構成し、パイロット信号等と共に、報知チャネルにおいて送信を開始する。その基地局によって管理されるセル内に位置する移動端末は、その移動端末が位置するセルを現時点で管理している基地局から、周囲の基地局の１つによって管理される別のセルへのハンドオーバを準備／トリガするために、周囲の基地局によって送信される信号に関する測定を行うことができる。
【０００６】
１つのエリア内に多数のマクロセルが配置されるとき、各セルは異なるセル識別子で構成されなければならず、各マクロセルの無線資源は、他のマクロセルによって引き起こされる干渉を最小限に抑えるように構成されなければならない。
【０００７】
接続リンクの構成、識別子の割当て及び干渉の問題は、従来の無線セルラー通信ネットワークにおいて検討及び解決されるべき重要な項目である。
【０００８】
無線セルラー通信ネットワークが、約０．１ｋｍ2の小さなサービスエリアを有するマイクロセルも含むとき、マクロセルの隣接するセルの数が増加する。接続リンクの数の増加、識別子の数の増加及び干渉問題によって引き起こされる問題が、増大する。
【０００９】
上記の問題は、ピコセル又はフェムトセルのようなより小さいサービスエリアを有するセルになるほど重要になる。公衆陸上移動網（ＰＬＭＮ）又は無線セルラー通信ネットワークのサービスエリアを、ピコセル及びフェムトセルで拡張することが提案されている。ピコセルは約数１０００ｍ2のサービスエリアを有し、一方、フェムトセルは、約１００ｍ2のサービスエリアを有する。マクロセル及びマイクロセルの場合のように、１つのピコセル又はフェムトセルを管理する各基地局は、そのピコセル又はフェムトセルの隣接するセルを制御する各基地局に接続されなければならない。
【００１０】
ピコセル又はフェムトセルを管理する基地局は、従来、家又は事務所内に設置される。それらの基地局は、無線セルラー通信ネットワークにアクセスするために、限られた数の移動端末だけがその資源を使用できるようにする。ピコセル又はフェムトセルを管理する基地局が、無線セルラー通信ネットワークにアクセスするために、許された移動端末にその資源の使用を許可するとき、それらの基地局は、これらの許された移動端末に関連付けられる。
【００１１】
マクロセルによって広く網羅されるエリアにわたって多数のピコセル又はフェムトセルが配置されるとき、各ピコセル又はフェムトセルは、異なるセル識別子で構成されなければならず、各ピコセル又はフェムトセルの無線資源は、他のピコセル又はフェムトセルによって引き起こされる干渉を最小限に抑えるように構成されなければならない。無線資源はピコセル又はフェムトセルにわたって分割されなければならないため、各ピコセル又はフェムトセルが得る容量は減少する。
【００１２】
多数のピコセル又はフェムトセルが配置されるとき、マイクロセル又はマクロセルは、多数の隣接するセルをサポートするように構成されなければならない。マイクロセル内の移動端末は、隣接する可能性がある全てのセルを走査しなければならない。この過程は時間がかかり、電池を消耗する。
【００１３】
従来技術によれば、ピコセル又はフェムトセルがセットアップされるとき、そのピコセル又はフェムトセルは、サーバに接続されると共に、他の隣接するセルを管理する他の基地局に接続されなければならない。多数のピコセル又はフェムトセルがセットアップされるとき、サーバ及び他の基地局は、各通信リンクにおいてトラフィック活動がない場合であっても、互いの間で多数の通信リンクを維持しなければならない。これによって、サーバ及び基地局のメモリ及び処理能力を消耗する。
【発明の概要】
【発明が解決しようとする課題】
【００１４】
マクロセル及びマイクロセルの場合に開示されてきたように、ピコセル又はフェムトセルがセットアップされるとき、ピコセル又はフェムトセルを管理する基地局は、移動端末にハンドオーバの準備をさせるために、パイロット信号を送信しなければならない。これは、他のセルに干渉を引き起こす。莫大な数のピコセル及びフェムトセルによってマイクロセル又はマクロセルに生成される干渉は深刻になり、マクロセル及びマイクロセルのダウンリンクチャネルの品質を劣化させる可能性がある。
【００１５】
それゆえ、本発明の目的は、無線セルラー通信ネットワークにおいて干渉の問題を緩和することを意図する方法及びデバイスを提案することである。
【００１６】
また、本発明は、無線セルラー通信ネットワークにおける信号の伝送を低減することを目的とする。
【課題を解決するための手段】
【００１７】
このため、本発明は、移動端末を無線セルラー通信ネットワークの第１の基地局によって検出することができるようにするための方法であって、
移動端末の位置を表す情報を入手するステップと、
移動端末の位置が第１の基地局の地理的エリア内に含まれる場合には、所定の信号を転送するステップとを含み、所定の信号は、第１の基地局のセルにおいて信号を転送するための、第１の基地局に対する要求を表すことを特徴とする、方法に関する。
【００１８】
本発明はまた、移動端末を無線セルラー通信ネットワークの第１の基地局によって検出することができるようにするためのデバイスであって、
移動端末の位置を表す情報を入手する手段と、
移動端末の位置が第１の基地局の地理的エリア内に含まれる場合には、所定の信号を転送する手段とを備え、所定の信号は、第１の基地局のセルにおいて信号を転送するための、第１の基地局に対する要求を表すことを特徴とする、デバイスにも関する。
【００１９】
したがって、無線セルラー通信ネットワークにおける干渉問題が緩和される。
【００２０】
さらに、本発明は無線セルラー通信ネットワークにおける信号の伝送を低減する。
【００２１】
特定の特徴によれば、第１の基地局は移動端末に関連付けられる。
【００２２】
特定の特徴によれば、無線セルラー通信ネットワークはサーバを含み、本発明はサーバによって実行され、サーバは第１の基地局との通信リンクを確立し、所定の信号は、サーバによって第１の基地局に転送されると共に、第１の基地局に、第１の基地局のセルにおいて信号を転送するように要求するメッセージである。
【００２３】
したがって、該方法が、サーバのような情報を集中管理する（centralizing）デバイスによって実行されるので、移動端末位置の特定、及びその移動端末位置と、その移動端末に関連付けられる第１の基地局の地理的エリアとの比較を、数多くの異なる情報を用いて行なうことができる。
【００２４】
さらに、該方法は移動端末にとってトランスペアレントであり、あらゆる種類の移動端末に対して適用することができる。特に、サーバの許可なしには基地局を起動することはできず、サーバは基地局の起動を完全に制御している。
【００２５】
移動端末の位置が、その移動端末に関連付けられる第１の基地局の地理的エリア内に含まれるときにのみ通信リンクを確立することによって、通信リンクの数が削減される。
【００２６】
特定の特徴によれば、移動端末の位置を表す情報は、移動端末によって生成されてサーバによって受信されるメッセージから、サーバによって入手される。
【００２７】
したがって、移動端末位置はサーバによって容易に得られ、サーバは移動端末の位置特定能力から恩恵を受けることができる。
【００２８】
特定の特徴によれば、移動端末の位置を表す情報は、移動端末が位置するセルを管理する第２の基地局を識別する情報から、サーバによって入手される。
【００２９】
したがって、移動端末が位置するエリアの特定は簡単であり、移動端末は位置特定モジュールを必要としない。サーバは、基地局の位置と、移動端末がどのセルに位置するかを認識するため、これらのデータから移動端末の位置を推定することができる。
【００３０】
特定の特徴によれば、無線セルラー通信ネットワークは複数の基地局を含み、
サーバは、
移動端末毎に、該移動端末に関連付けられる各第１の基地局を示す情報と、該移動端末に関連付けられる該第１の基地局毎に、地理的エリアとを含むデータベースを維持し、
移動端末の位置を表す情報から、且つ移動端末に関連付けられる各第１の基地局の地理的エリアから、第１の基地局のセルにおいて信号を転送するための要求を表す所定の信号が転送されなければならない少なくとも１つの第１の基地局を識別する。
【００３１】
したがって、サーバは、その基地局のセルにおいて信号を転送するための、その基地局に対する要求の転送を制御している。
【００３２】
特定の特徴によれば、無線セルラー通信ネットワークは、移動端末が位置するセルを管理する第２の基地局を含み、方法は第２の基地局によって実行される。
【００３３】
したがって、サーバは各端末の位置を追跡する必要がないため、サーバ負荷は減少する。
【００３４】
特定の特徴によれば、移動端末の位置を表す情報は、移動端末によって生成されて第２の基地局によって受信されるメッセージから、第２の基地局によって入手される。
【００３５】
特定の特徴によれば、第１の基地局に所定の信号を転送する前に、第２の基地局は、第１の基地局と第２の基地局との間に通信リンクを確立する。
【００３６】
特定の特徴によれば、本発明は移動端末によって実行される。
【００３７】
したがって、サーバは各端末の位置を追跡する必要がないため、サーバ負荷は減少する。
【００３８】
特定の特徴によれば、所定の信号は、第１の基地局に転送されると共に、移動端末から第１の基地局にメッセージを送信するために用いられる周波数帯とは異なる周波数帯内で変調される所定の署名である。
【００３９】
したがって、その所定の信号は、無線セルラー通信システムのアップリンクメッセージと干渉しない。無線セルラー通信システムの移動端末のうちの限られたサブセットに対して基地局の起動を制限するために、所定の秘密署名を用いることができ、それらのサブセットは所定の秘密署名を共用する。
【００４０】
特定の特徴によれば、所定の信号は、第１の基地局に転送され、電波又は光波によって伝搬する所定の符号化されたエネルギーパルス列である。
【００４１】
したがって、悪意のある第三者が所定の信号を傍受するのは難しく、所定の信号を秘密にしておくことができ、所定の秘密署名を共用する無線セルラー通信システムの移動端末のうちの限られたサブセットに制限しておくことができる。
【００４２】
さらに、所定の信号を送信するための消費電力が制限される。
【００４３】
特定の特徴によれば、無線セルラー通信ネットワークはサーバを含み、所定の信号は移動端末によってサーバに転送されるメッセージである。
【００４４】
したがって、移動端末は、所定の信号を転送する付加的な手段を必要としない。移動端末の複雑性が限定される。
【００４５】
特定の特徴によれば、無線セルラー通信ネットワークは複数の基地局を含み、移動端末は、移動端末に関連付けられる第１の基地局毎に地理的エリアを示すデータベース情報を維持する。
【００４６】
したがって、移動端末は、ネットワーク側からの行為を必要とすることなく、所定の信号が転送される必要があるか否かを判断することができる。サーバ負荷は減少する。
【００４７】
特定の特徴によれば、移動端末によってサーバに送信されるメッセージは、その移動端末の位置を表す情報を含む。
【００４８】
したがって、移動端末位置はサーバによって容易に得られ、サーバは移動端末の位置特定能力から恩恵を受けることができる。
【００４９】
特定の特徴によれば、サーバに送信されるメッセージは、移動端末に関連付けられる第１の基地局の少なくとも１つの識別子を含む。
【００５０】
したがって、基地局サーバは、どの基地局が、それらの基地局が管理するセル内に信号を転送するように要求されるかを容易に判断することができる。
【００５１】
特定の特徴によれば、移動端末の位置を表す情報は、全地球的航法衛星システムから得られる。
【００５２】
特定の特徴によれば、移動端末の位置を表す情報は、無線セルラー通信ネットワークの少なくとも１つの基地局の少なくとも１つの識別子から得られる。
【００５３】
したがって、移動端末は、移動端末の位置を表す情報を求めるための専用回路を備える必要はない。
【００５４】
特定の特徴によれば、移動端末に関連付けられる１つの第１の基地局の地理的エリアは、無線セルラー通信ネットワークの他の基地局のセル内の移動端末の位置を表す情報を記憶することによって更新され、該他の基地局は、該他の基地局のセルからの又は他の基地局のセルへのセル再選択又はハンドオーバ手順が移動端末によって実行された基地局である。
【００５５】
したがって、移動端末は、外部構成を必要とすることなく第１の基地局に関連付けられるエリアを更新することができ、ネットワーク負荷を低減することができる。さらに、そのエリアは、実際の無線条件を表す地理的情報を用いて更新される。所定の信号は、必要な場合にのみ転送される。
【００５６】
特定の特徴によれば、移動端末の位置はタイムスタンプを付され、移動端末の位置は、第１の基地局のセルからの又は第１の基地局のセルへのセル選択又はハンドオーバ手順が移動端末によって実行される時点において、移動端末の位置が十分に新しい場合に、移動端末に関連付けられる１つの第１の基地局の地理的エリアの更新に用いられる。
【００５７】
したがって、移動端末の位置が基地局周囲のサービスエリア内にない場合であっても、その基地局に関連付けられる地理的エリアを更新することができる。
【００５８】
特定の特徴によれば、その無線セルラー通信は代理サーバ（proxy）を備えており、その代理サーバを通じて、所定の信号が、サーバによって、又はその移動端末が位置するセルを管理する基地局によって第１の基地局に転送される。
【００５９】
さらに別の態様によれば、本発明は、プログラム可能なデバイス内に直接ロード可能であり得るコンピュータプログラムであって、該コンピュータプログラムがプログラム可能なデバイスにおいて実行されるときに、本発明による方法のステップを実施するための命令又はコードの一部を含む、コンピュータプログラムに関する。
【００６０】
コンピュータプログラムに関連する特徴及び利点は、本発明による方法及びデバイスに関連する上記の特徴及び利点と同じであるため、ここでは繰り返さない。
【００６１】
本発明の特徴は、一例の実施形態に関する以下の説明を読むことからさらに明らかになり、該説明は添付の図面を参照しながら提示される。
【図面の簡単な説明】
【００６２】
【図１ａ】本発明が実施される無線セルラー通信ネットワークの第１の例のアーキテクチャを表す図である。
【図１ｂ】本発明が実施される無線セルラー通信ネットワークの第２の例のアーキテクチャを表す図である。
【図２】本発明による基地局のブロック図である。
【図３】本発明による移動端末のブロック図である。
【図４】本発明による無線セルラー通信ネットワークのサーバのブロック図である。
【図５】移動端末が全地球的航法衛星システムを備えるときに移動端末によって実行されるアルゴリズムを示す図である。
【図６】移動端末が全地球的航法衛星システムを備えないときに移動端末によって実行されるアルゴリズムを示す図である。
【図７】本発明の第１の実現形態による、サーバによって実行されるアルゴリズムを示す図である。
【図８】本発明の第２の実現形態による、移動端末が位置するセルを管理する基地局によって実行されるアルゴリズムを示す図である。
【図９】本発明による、そのセル内で信号を転送するように要求されるか、又は要求された基地局によって実行されるアルゴリズムを示す図である。
【発明を実施するための形態】
【００６３】
図１ａは、本発明が実施される無線セルラー通信ネットワークの第１の例のアーキテクチャを表す図である。
【００６４】
このセルラー通信ネットワークでは、サーバ１０が、通信ネットワークを通じて、複数の基地局ＢＳ１〜ＢＳ５に接続することができる。この通信ネットワークは、専用の有線ネットワークであるか、公衆交換網のような公衆網であるか、ＩＰベースネットワークであるか、無線ネットワークであるか、非同期転送モードネットワークであるか、又は上記のネットワークの組合せである。
【００６５】
この通信ネットワークによって、基地局ＢＳ１〜ＢＳ５は必要に応じて互いに接続することができるようになり、また、本発明に従って、基地局ＢＳ１〜ＢＳ５間で、又は基地局ＢＳ１〜ＢＳ５とサーバ１０との間で、メッセージ及び情報を転送することができるようになる。
【００６６】
各基地局ＢＳ１〜ＢＳ５は、少なくとも１つの無線エリア１５を通じて、信号若しくはメッセージを転送及び／又は受信することができる。そのような無線エリア１５は、これ以降、基地局ＢＳによって管理されるセル１５、又は基地局ＢＳのセル１５と呼ばれる。セル１５は、マクロセル、及び／又はマイクロセル、及び／又はピコセル、及び／又はフェムトセルである。
【００６７】
図１ａの例によれば、基地局ＢＳ１はセル１５1を管理し、基地局ＢＳ２はセル１５2を管理し、基地局ＢＳ３はセル１５3を管理し、基地局ＢＳ４はセル１５4を管理し、基地局ＢＳ５はセル１５5を管理する。
【００６８】
基地局ＢＳは、それらの基地局がそれぞれ管理するセル１５内に位置する移動端末ＭＴを管理する。
【００６９】
移動端末ＭＴは、図１ａには示されない離れた通信デバイスとの通信を基地局ＢＳが受信するか又は確立することができるときに、その基地局ＢＳによって管理される。
【００７０】
サーバ１０は、セルラー通信ネットワークの基地局ＢＳ１〜ＢＳ５に関連する情報を格納する。基地局ＢＳ１〜ＢＳ５毎に、サーバ１０は、その基地局ＢＳによって管理されるセル１５の隣接セルであるセル１５を管理する基地局ＢＳを表す情報を格納する。サーバ１０は、現時点で稼動している基地局ＢＳ、すなわち、それぞれのセル１５において信号を転送する基地局ＢＳのリストを維持する。サーバ１０は、基地局ＢＳ４及びＢＳ５のような、稼動していない基地局ＢＳの他のパラメータも維持する。他のパラメータは、稼動していない基地局が稼動するときに、その稼動していない基地局ＢＳとサーバ１０との間でリンクを迅速にセットアップすることができるようにする、ＩＰアドレス、ＴＣＰポート又はＳＣＴＰポート、暗号鍵のような接続及びセキュリティ情報を含む。
【００７１】
サーバ１０は、各基地局ＢＳの地理的エリアを格納する場合もある。基地局ＢＳの地理的エリアは、その基地局ＢＳを包囲するエリアである。
【００７２】
サーバ１０は、基地局ＢＳが移動端末ＭＴに関連付けられるか否かを示す情報を格納する場合もある。
【００７３】
基地局ＢＳ及び移動端末ＭＴは、一例として、基地局ＢＳと移動端末ＭＴとの間に或る関係があるときに関連付けられる。
【００７４】
一例として、その関係は、基地局ＢＳ及び移動端末ＭＴが同じ所有者に属するという事実か、又は移動端末ＭＴの所有者がサービスを契約しているネットワーク事業者に基地局ＢＳが属するという事実か、又は基地局ＢＳの所有者が基地局ＢＳの資源を使用する権限を移動端末ＭＴに与えるという事実である。
【００７５】
サーバ１０は、移動端末ＭＴ毎に、その移動端末ＭＴに関連付けられる各基地局ＢＳを示す情報を含むと共に、その移動端末ＭＴに関連付けられる基地局ＢＳ毎に、地理的エリアを含むデータベースを維持する場合もある。
【００７６】
サーバ１０は、基地局１５のセル１５において信号を転送するための要求を表す所定の信号が転送されなければならない少なくとも１つの基地局ＢＳを、移動端末ＭＴの位置を表す情報から、及び移動端末ＭＴに関連付けられる各基地局ＢＳの地理的エリアから、特定することもできる。
【００７７】
図１ａでは、ただ１つのサーバ１０が示されるが、本発明において、さらに多くの数のサーバ１０を用いてもよいことを理解することができる。
【００７８】
同じように、５つの基地局ＢＳ１〜ＢＳ５と、そのそれぞれのセル１５1〜１５5だけが示されるが、本発明において、さらに多くの数の基地局ＢＳ及びセル１５が用いられることを理解することができる。
【００７９】
現在３ＧＰＰにおいて検討中であるロング・ターム・エボリューション（ＬＴＥ）ネットワークでは、サーバ１０は、移動管理エンティティ（ＭＭＥ）と呼ばれる。汎用パケット無線サービスネットワークでは、サーバ１０は、サービングＧＰＲＳサポートノード（ＳＧＳＮ）と呼ばれる。移動ＩＰネットワークでは、サーバ１０は外部エージェント（ＦＡ）と呼ばれ、ＧＳＭネットワークでは、サーバ１０は、ビジターロケーションレジスタ（ＶＬＲ）と呼ばれる。
【００８０】
図１ａにおいて、１台の移動端末ＭＴが示される。移動端末ＭＴは、基地局ＢＳ２のセル１５2内に位置し、基地局ＢＳ１のセル１５1の中に移動しつつある。
【００８１】
図１ａには、１台の移動端末ＭＴしか示されないが、無線セルラー通信ネットワーク内に、さらに多くの数の移動端末ＭＴが存在することを理解することができる。
【００８２】
移動端末ＭＴが１つのセル１５内に位置するとき、その移動端末ＭＴは、移動端末ＭＴが位置するセル１５を管理するか、又は呼出通知メッセージを受信することができる基地局ＢＳを通じて、通信を確立するか、受信するか、又は継続することができる。
【００８３】
移動端末ＭＴが位置するものと予測される少なくとも１つのセル１５を制御する基地局ＢＳに呼出通知をルーティングすることができるように、サーバ１０は、無線セルラー通信ネットワーク内の移動端末ＭＴの場所を追跡する役割を果たす。移動端末ＭＴが位置するものと予測されるセルのグループは、トラッキングエリアと呼ばれる。そのような呼出通知は種々の場合に生じることがあるが、主に、ネットワークから移動端末ＭＴに対して着呼(incoming call)がルーティングされなければならないときに生じ得る。その際、基地局ＢＳは、無線を介して、移動端末ＭＴがリスンすることができる呼出通知メッセージを送信することができる。移動端末ＭＴが呼出メッセージを受信すると、移動端末ＭＴは、通話を許容するために起動してシグナリングをトリガすることができる。
【００８４】
各基地局ＢＳは、その基地局が管理する各セル１５内に、他のセル１５を識別する情報を含むモニタ用リストを転送し得る。移動端末ＭＴは、これらのセル１５において転送される信号をモニタし、移動端末ＭＴが位置するセル１５を管理する基地局ＢＳに、測定報告を送信する。
【００８５】
たとえば、移動端末ＭＴが、基地局ＢＳを通じて、図１ａには示されない離れた通信デバイスと通信しているとき、その基地局ＢＳ又はサーバ１０は、測定報告に従って、通信のハンドオーバ手順に進むという決定を下すことができ、すなわち、別の基地局ＢＳを通じて通信を継続することができるようにするという決定を下すことができる。
【００８６】
図１ａにおいて、基地局ＢＳ２及びＢＳ３は、２５2及び２５3で示される通信リンクを通じて、サーバ１０にリンクされる。
【００８７】
基地局ＢＳが、移動端末ＭＴによって転送されるいかなる信号も検出しないとき、又は基地局ＢＳによって検出される信号が所定の値未満の電力レベルを有するとき、その基地局ＢＳは、非稼動状態に入り、その基地局が管理するセル１５において信号を転送するのを中止する。基地局ＢＳが所定の信号を受信するとき、その基地局ＢＳは、その基地局が管理するセル１５において信号を転送し始める。
【００８８】
本発明の第１の実現形態によれば、所定の信号はサーバ１０によって転送されるメッセージである。
【００８９】
本発明の第２の実現形態によれば、所定の信号は、現時点で移動端末ＭＴを管理している基地局ＢＳのような、或る基地局ＢＳによって転送されるメッセージである。
【００９０】
１つの変形形態では、そのメッセージは、移動端末ＭＴによって転送される所定の信号である。
【００９１】
所定の信号は、
移動端末ＭＴによって転送されるか、又は
サーバ１０によって転送されるか、又は
移動端末ＭＴの位置がその移動端末ＭＴに関連付けられる基地局ＢＳの地理的エリア内に含まれる場合に、その移動端末ＭＴを管理する基地局ＢＳによって転送される。
【００９２】
移動端末ＭＴは、その移動端末ＭＴに関連付けられる基地局ＢＳ毎に、地理的エリアを示すデータベース情報を維持する場合がある。
【００９３】
移動端末ＭＴに関連付けられる１つの基地局ＢＳの地理的エリアは、無線セルラー通信ネットワークの他の基地局ＢＳのセル１５内の移動端末ＭＴの位置を表す情報を記憶することによって更新される場合があり、他の基地局ＢＳは、その基地局ＢＳのセル１５に対して移動端末ＭＴによってセル再選択又はハンドオーバ手順が実行された基地局ＢＳである。
【００９４】
基地局ＢＳ１が移動端末ＭＴから所定の信号を受信すると、基地局ＢＳ１は、図１ａにおいて２５1で表される通信リンクを基地局ＢＳ１とサーバ１０との間に確立する。
所定の信号がサーバ１０によって転送されるとき、サーバ１０は、信号を転送する前に、図１ａにおいて２５1で表される通信リンクを基地局ＢＳ１とサーバ１０との間に確立する。
移動端末ＭＴを管理する基地局ＢＳによって所定の信号が転送されるとき、移動端末ＭＴを管理する基地局ＢＳは、信号を転送する前に、移動端末ＭＴを管理する基地局ＢＳと基地局ＢＳ１との間に通信リンクを確立する。その後、基地局ＢＳ１は、図１ａにおいて２５1で表される通信リンクを基地局ＢＳ１とサーバ１０との間に確立する。
通信リンク２５1が確立されるとき、基地局ＢＳ１は、基地局ＢＳ１のセル１５1の隣接セルであるセル１５を管理する稼動している基地局ＢＳ２及びＢＳ３のリストをサーバ１０から入手し、且つ／又は図１ａにおいて３５2及び３５3で表される通信リンクを基地局ＢＳ１と基地局ＢＳ２及びＢＳ３との間に確立し、セル１５1において信号の送信を開始する。
【００９５】
図１ｂは、本発明が実施される無線セルラー通信ネットワークの第２の例のアーキテクチャを表す図である。
【００９６】
無線セルラー通信ネットワークの第２の例は、基地局ＢＳのうちのいくつかの基地局間に、及び基地局ＢＳのうちのいくつかの基地局とサーバ１０との間に代理サーバ５０(proxy 50)が接続される点で、第１の例とは異なる。
【００９７】
代理サーバ５０は、或る宛先に宛てられたメッセージを受信し、受信したメッセージをその宛先に転送するデバイスである。
【００９８】
代理サーバ５０並びに基地局ＢＳ１及びＢＳ３〜ＢＳ５は、サーバ１０によって、複数のセル１５を有する唯一の基地局ＢＳとして認識される。
【００９９】
第２の例によれば、基地局ＢＳ１は、代理サーバ５０、並びに図１ｂにおいて２５及び２５1aで表される通信リンクを通じて、サーバ１０にリンクされる。基地局ＢＳ２は、図１ｂにおいて２５2で表される通信リンクを通じて、サーバ１０に直接リンクされる。基地局ＢＳ３は、代理サーバ５０、並びに図１ｂにおいて２５3a及び２５で表される通信リンクを通じて、サーバ１０にリンクされる。
【０１００】
基地局ＢＳが移動端末ＭＴによって転送されるいかなる信号も検出しないとき、又は基地局ＢＳによって検出される信号が所定の値未満の電力レベルを有するとき、基地局ＢＳは、非稼動状態に入り、その基地局が管理するセル１５において信号を転送するのを中止し、基地局ＢＳと代理サーバ５０との間のリンクが解放される。
【０１０１】
基地局ＢＳ１が非稼動状態に入るとき、リンク２５1aは、基地局ＢＳ１によって、且つ／又は代理サーバ５０によって解放される。
【０１０２】
基地局ＢＳ３が非稼動状態に入るとき、リンク２５3aは、基地局ＢＳ１によって、且つ／又は代理サーバ５０によって解放される。
【０１０３】
基地局ＢＳ１が所定の信号を受信するとき、基地局ＢＳ１は、その基地局が管理するセル１５において信号を転送し始める。所定の信号が、変形形態に従って移動端末ＭＴから受信されるとき、基地局ＢＳ１は、代理サーバ５０とのリンク２５1aを確立するように指示する。所定の信号が、第１の実現形態に従ってサーバ１０によって転送されるメッセージであるとき、又は第２の実現形態に従って基地局ＢＳによって転送されるメッセージであるとき、代理サーバ５０は、基地局ＢＳ１とのリンク２５1aを確立するように指示する。
【０１０４】
基地局ＢＳ３が所定の信号を受信するとき、基地局ＢＳ３は、その基地局が管理するセル１５において信号を転送し始める。所定の信号が、変形形態に従って移動端末ＭＴから受信されるとき、基地局ＢＳ１は、代理サーバ５０とのリンク２５3aを確立するように指示する。所定の信号が、第１の実現形態に従ってサーバ１０によって転送されるメッセージであるとき、又は第２の実現形態に従って基地局ＢＳによって転送されるメッセージであるとき、代理サーバ５０は、基地局ＢＳ３とのリンク２５3aを確立するように指示する。
【０１０５】
移動端末ＭＴは、移動端末ＭＴに関連付けられる基地局ＢＳ毎に地理的エリアを示すデータベース情報を維持する場合がある。
【０１０６】
移動端末ＭＴに関連付けられる１つの基地局ＢＳの地理的エリアは、無線セルラー通信ネットワークの他の基地局ＢＳのセル１５内の移動端末ＭＴの位置を表す情報を記憶することによって更新される場合があり、他の基地局ＢＳは、基地局ＢＳのセル１５に対して移動端末ＭＴによってセル再選択又はハンドオーバ手順が実行された基地局ＢＳである。
【０１０７】
２５1aで表される通信リンクが確立されると、基地局ＢＳ１は、基地局ＢＳ１のセル１５1の隣接セルであるセル１５を管理する稼動している基地局ＢＳ２及びＢＳ３のリストをサーバ１０から入手し、且つ／又は図１ｂにおいて３５2a及び３５3aで表される通信リンクを基地局ＢＳ１と基地局ＢＳ２及びＢＳ３との間に代理サーバ５０を通じて確立し、セル１５1において信号の送信を開始する。
【０１０８】
図２は、本発明による、基地局デバイスのブロック図である。
【０１０９】
各基地局ＢＳは、たとえば、バス２０１によって互いに接続される構成要素、並びに図４ａ及び図４ｂにおいて開示されるようなプログラムによって制御されるプロセッサ２００からなるアーキテクチャを有する。
【０１１０】
バス２０１は、プロセッサ２００を、読出し専用メモリＲＯＭ２０２、ランダムアクセスメモリＲＡＭ２０３、ネットワークインタフェース２０４、無線インタフェース２０６及び一実施形態による無線受信機２０７にリンクする。
【０１１１】
メモリ２０３はレジスタを含み、このレジスタは、変数、基地局ＢＳによって管理されるセル１５の隣接セルとして知られているセル１５のようなセル１５を識別する情報、隣接するセル１５を管理する基地局ＢＳの識別子、隣接するセルを管理する基地局ＢＳとの通信リンク毎の接続及びセキュリティ情報、サーバ１０との通信リンク毎の接続及びセキュリティ情報、並びに第２の実施形態に従って図９及び図８において開示されるようなアルゴリズムに関連するプログラムの命令を受信するように意図されている。
【０１１２】
プロセッサ２００は、ネットワークインタフェース２０４、無線インタフェース２０６及び一実施形態による無線受信機２０７の動作を制御する。
【０１１３】
読出し専用メモリ２０２は、第２の実施形態に従って図９及び図８において開示されるようなアルゴリズムに関連するプログラムの命令を含み、それらの命令は、基地局ＢＳの電源が投入されるときに、ランダムアクセスメモリ２０３に転送される。
【０１１４】
基地局ＢＳは、ネットワークインタフェース２０４を通じて、通信ネットワークに接続される。一例として、ネットワークインタフェース２０４は、ＤＳＬ（デジタル加入者線）モデム、又はＩＳＤＮ（統合サービスデジタル網）インタフェース等である。
【０１１５】
そのようなインタフェースを通じて、基地局ＢＳは、一実施形態に従って代理サーバ５０を通じて又は通じずに、無線セルラー通信ネットワークのサーバ１０及び他の基地局ＢＳと情報を交換する。基地局ＢＳによって管理される各セル１５内に含まれる移動端末ＭＴによって確立又は受信される通信は、ネットワークインタフェース２０４及び無線インタフェース２０６を経由する。
【０１１６】
ネットワークインタフェース２０４は、基地局ＢＳとサーバ１０との間の通信リンクを確立すると共に解放する手段、基地局ＢＳと代理サーバ５０との間の通信リンクを確立すると共に解放する手段、又は基地局ＢＳと他の基地局ＢＳとの間の通信リンクを確立すると共に解放する手段を備える。これらの、通信リンクを確立すると共に解放する手段は、互いに異なるか、又は共通である。
【０１１７】
無線インタフェース２０６を通じて、基地局ＢＳは、セル１５を識別する情報のモニタ用リストを転送し、移動端末ＭＴから測定報告を受信する。
【０１１８】
無線インタフェース２０６は、基地局ＢＳのセル１５における基地局ＢＳによる信号の転送を可能又は不能にする手段を備える。
【０１１９】
この変形形態によれば、無線受信機２０７は、少なくとも１つの移動端末ＭＴによって転送される所定の信号を検出する手段を備える。
【０１２０】
所定の信号は例として、所定の署名のような所定の情報であり、その情報は、無線セルラー通信システムのアップリンクチャネルのために用いられる周波数帯とは異なる周波数帯において変調される。一例であって限定はしないが、所定の署名は、Ｂｌｕｅｔｏｏｔｈ、ＷｉＦｉ、ＷｉＭＡＸ又はＺｉｇＢｅｅ信号によって搬送される。
【０１２１】
別の例では、所定の情報は、電波、光波のいずれかによって伝搬する所定の符号化されたエネルギーパルス列である。一例であって限定はしないが、所定の符号化されたエネルギーパルス列は、赤外線（ＩｒＤａ）光信号、又は超広帯域（ＵＷＢ）無線信号である。
【０１２２】
図３は、本発明による、移動端末ＭＴのブロック図である。
【０１２３】
各移動端末ＭＴは、たとえば、バス３０１によって互いに接続される構成要素、並びに図５又は図６において開示されるようなプログラムによって制御されるプロセッサ３００からなるアーキテクチャを有する。
【０１２４】
バス３０１は、プロセッサ３００を、読出し専用メモリＲＯＭ３０２、ランダムアクセスメモリＲＡＭ３０３、マンマシンインタフェース３０４、無線インタフェース３０６、ひいては全地球的航法衛星システム送受信機（ＧＮＳＳ:Global Navigation Satellite System)３０８、及び一実施形態による無線送信機３０７にリンクする。
【０１２５】
メモリ３０３はレジスタを含み、このレジスタは、変数、及び図５又は図６において開示されるようなアルゴリズムに関連するプログラムの命令を受信するように意図されている。
【０１２６】
メモリ３０３は、移動端末ＭＴに関連付けられる基地局ＢＳ毎に地理的エリアを示すデータベース情報を含む。
【０１２７】
移動端末ＭＴに関連付けられる１つの基地局ＢＳの地理的エリアは、無線セルラー通信ネットワークの他の基地局ＢＳのセル１５内の移動端末ＭＴの位置を表す情報を記憶することによって更新され、他の基地局ＢＳは、基地局ＢＳのセル１５からの又は基地局ＢＳのセル１５へのセル再選択又はハンドオーバ手順が移動端末ＭＴによって実行された基地局ＢＳである。
【０１２８】
プロセッサ３００は、マンマシンインタフェース３０４、無線インタフェース３０６、及びある場合に無線送信機３０７の動作を制御する。
【０１２９】
読出し専用メモリ３０２は、図５又は図６において開示されるようなアルゴリズムに関連するプログラムの命令を含み、それらの命令は、移動端末ＭＴの電源が投入されるときに、ランダムアクセスメモリ３０３に転送される。
【０１３０】
無線インタフェース３０６は、基地局ＢＳによってダウンリンクチャネルを通じて転送される信号を検出、測定及び受信する手段と、無線セルラー通信システムのアップリンクチャネルを通じて信号又はメッセージを送信する手段とを備える。
【０１３１】
この変形形態によれば、無線送信機３０７は、所定の信号を転送する手段を備える。
【０１３２】
所定の信号は一例として、所定の署名のような所定の情報であり、その信号は、無線セルラー通信システムのアップリンクチャネルのために用いられる周波数帯とは異なる周波数帯において変調される。一例であって限定はしないが、所定の署名は、Ｂｌｕｅｔｏｏｔｈ、ＷｉＦｉ、ＷｉＭＡＸ又はＺｉｇＢｅｅ信号によって搬送される。
【０１３３】
別の例では、所定の情報は、電波、光波のいずれかによって伝搬する所定の符号化されたエネルギーパルス列である。一例であって限定はしないが、所定の符号化されたエネルギーパルス列は、赤外線（ＩｒＤａ）光信号、又は超広帯域（ＵＷＢ）無線信号である。
【０１３４】
マンマシンインタフェース３０４は、移動端末ＭＴに関連付けられる基地局ＢＳの地理的エリア内に新たな位置が含まれる必要があることを示すために、移動端末ＭＴの使用者によって用いられる場合がある。
【０１３５】
図４は、本発明による、無線セルラー通信ネットワークのサーバのブロック図である。
【０１３６】
サーバ１０は、たとえば、バス４０１によって互いに接続される構成要素、及び図７において開示されるようなプログラムによって制御されるプロセッサ４００からなるアーキテクチャを有する。
【０１３７】
バス４０１は、プロセッサ４００を、読出し専用メモリＲＯＭ４０２、ランダムアクセスメモリＲＡＭ４０３及びネットワークインタフェース４０４にリンクする。
【０１３８】
メモリ４０３は、変数、セルラー通信ネットワークの基地局に関連する情報を受信するように構成されるレジスタを含む。サーバ１０は、現時点で稼動している基地局ＢＳのリスト、各基地局ＢＳに関連付けられる移動端末ＭＴのリスト、及び基地局ＢＳ毎に、基地局ＢＳの１つのセル１５に隣接する１つのセル１５を制御している基地局ＢＳのリストを格納する。
【０１３９】
メモリ４０３は、移動端末ＭＴ毎に、その移動端末ＭＴに関連付けられる各基地局ＢＳを示す情報と、移動端末ＭＴに関連付けられる基地局ＢＳ毎の地理的エリアとを含む、データベースを備える。
【０１４０】
プロセッサ４００は、ネットワークインタフェース４０４の動作を制御する。
【０１４１】
読出し専用メモリ４０２は、図７において開示されるようなアルゴリズムに関連するプログラムの命令を含み、それらの命令は、サーバ１０の電源投入時に、ランダムアクセスメモリ４０３に転送される。
【０１４２】
サーバ１０は、ネットワークインタフェース４０４を通じて通信ネットワーク５０に接続される。一例として、インタフェース４０４は、ＤＳＬ（デジタル加入者線）モデム、又はＩＳＤＮ（統合サービスデジタル網）インタフェース等である。そのようなインタフェースを通じて、ネットワークサーバ１０は、無線セルラー通信ネットワークの基地局ＢＳと情報を交換し、本発明の好ましい実現形態によれば、移動端末ＭＴが位置するセル１５を管理する基地局ＢＳを通じて、移動端末ＭＴからメッセージを受信する。
【０１４３】
図５は、移動端末が全地球的航法衛星システムを備えるときに移動端末によって実行されるアルゴリズムを示す。
【０１４４】
より厳密には、本アルゴリズムは移動端末ＭＴのプロセッサ３００によって実行される。
【０１４５】
ステップＳ５００において、プロセッサ３００は、Ｓｔａｔｅと呼ばれる変数を、値「ＯＵＴ」に設定する。変数Ｓｔａｔｅは、移動端末ＭＴが、その移動端末ＭＴに関連付けられる基地局ＢＳの地理的エリア内に位置するか否かを示す。
【０１４６】
次のステップＳ５０１において、プロセッサ３００は、Ｔｉｍｅｒで表されるタイマが満了するか否かを調べる。
【０１４７】
タイマＴｉｍｅｒによって、移動端末ＭＴは、所定の周期で位置の特定に進むことができるようになる。
【０１４８】
タイマＴｉｍｅｒが満了する場合には、プロセッサ３００はステップＳ５０２に進む。そうでない場合には、プロセッサ３００はステップＳ５１１に進む。
【０１４９】
ステップＳ５０２において、プロセッサ３００は、移動端末ＭＴの位置を表す情報をＧＮＳＳ送受信機３０８から入手する。
【０１５０】
ステップＳ５０３において、プロセッサ３００は、位置を表す情報を入手することができるか否かを調べる。一例として、移動端末ＭＴが建物内に位置するとき、移動端末ＭＴの位置を特定するために用いられる衛星信号を受信するのは難しい。
【０１５１】
位置を表す情報を入手できない場合には、プロセッサ３００はステップＳ５０１に戻る。そうでない場合には、プロセッサ３００はステップＳ５０４に進む。
【０１５２】
ステップＳ５０４において、プロセッサ３００は、移動端末ＭＴの位置を表す情報をタイムスタンプと共にＲＡＭメモリ３０３に記憶する。
【０１５３】
次のステップＳ５０５において、プロセッサ３００は、ステップＳ５０２において得られた位置が、その移動端末ＭＴに関連付けられる基地局ＢＳの地理的エリア内に含まれるか否かを調べる。
【０１５４】
そのために、プロセッサ３００は、移動端末ＭＴに関連付けられる基地局ＢＳ毎に少なくとも１つの地理的エリアを有する、エリアリストの内容を読み取る。各地理的エリアは、移動端末ＭＴに関連付けられる基地局ＢＳの周囲のゾーンを表す。これらのゾーンは、２つの座標を有する長方形によって、又は１つの座標と半径とを有する円によって、又は２次元空間又は３次元空間内の表面を画定することができる任意の組み合わせによって、又は境界点を含み中心がそれらの境界点の重心として求められる半球形（bowl）によって、画定することができる。
【０１５５】
ステップＳ５０２において得られた位置が、移動端末ＭＴに関連付けられる１つの基地局ＢＳの地理的エリアに含まれる場合には、プロセッサ３００はステップＳ５０６に進む。そうでない場合には、プロセッサ３００はステップＳ５００に戻る。
【０１５６】
ステップＳ５０６において、プロセッサ３００は、変数Ｓｔａｔｅが値「ＯＵＴ」に等しいか否かを調べる。
【０１５７】
変数Ｓｔａｔｅが値「ＯＵＴ」に等しい場合には、プロセッサ３００はステップＳ５０８に進む。そうでない場合には、プロセッサ３００はステップＳ５０７に進む。
【０１５８】
ステップＳ５０７において、プロセッサ３００は、変数Ｓｔａｔｅを値「ＯＵＴ」に設定する。その後、プロセッサ３００はステップＳ５１０に進む。
【０１５９】
ステップＳ５０８において、プロセッサ３００は変数Ｓｔａｔｅを値「ＩＮ」に設定する。
【０１６０】
次のステップＳ５０９において、プロセッサ３００は、本発明の第１の実現形態及び第２の実現形態に従って、サーバ１０に、又はその移動端末ＭＴを管理する基地局ＢＳに、移動端末ＭＴがその移動端末ＭＴに関連付けられる基地局ＢＳの地理的エリア内に位置することを示す、ＲｅｑＡｃｔｉｖａｔｅで表されるメッセージを転送するように指示する。ＲｅｑＡｃｔｉｖａｔｅメッセージは、移動端末ＭＴに関連付けられ、且つステップＳ５０５において識別された基地局ＢＳの識別子、及び／又は移動端末ＭＴの位置を表す情報を含む。
【０１６１】
ＲｅｑＡｃｔｉｖａｔｅメッセージは、移動端末ＭＴが位置するセル１５を現時点で管理している基地局ＢＳを通じて転送されるか、又は移動端末ＭＴが位置するセル１５を現時点で管理している基地局ＢＳを通じて、且つ代理サーバ５０を通じて転送される。
【０１６２】
この変形形態によれば、プロセッサ３００は、無線送信機３０７を介して、移動端末ＭＴに関連付けられる基地局ＢＳに、所定の信号を転送するように指示する。
【０１６３】
次のステップ５１０において、プロセッサ３００はタイマＴｉｍｅｒを起動する。
【０１６４】
その後、プロセッサ３００はステップＳ５０１に戻る。
【０１６５】
ステップＳ５１１において、プロセッサ３００は、基地局ＢＳから、その移動端末ＭＴに関連付けられる基地局ＢＳに対して、ハンドオーバ（ＨＯ：Handover）又はセル再選択手順が実行されたか否かを調べる。
【０１６６】
セル再選択手順は、移動端末ＭＴによって選択される現在のセル１５を識別する信号よりも、別のセル１５を識別する信号が強いときに実行される。それらの信号は少なくとも１つの周波数帯内で転送され、少なくとも１つの周波数帯を走査した後に検出される。ハンドオーバ手順は、基地局ＢＳを通じて離れた通信デバイスと現時点で通信中である移動端末ＭＴの通信が、別の基地局ＢＳを通じて継続されるときに実行される。
【０１６７】
基地局ＢＳから、移動端末ＭＴに関連付けられる基地局ＢＳへのハンドオーバ又はセル再選択手順が行われた場合には、プロセッサ３００はステップＳ５１２に進む。そうでない場合には、プロセッサ３００はステップＳ５１６に進む。
【０１６８】
ステップＳ５１２において、プロセッサ３００は、タイムスタンプと共にＲＡＭメモリ３０３に最後に記憶した、移動端末ＭＴの位置を表す情報を読み出す。
【０１６９】
次のステップＳ５１３において、プロセッサ３００は、ステップＳ５１２において読み出されたタイムスタンプが古すぎないか否かを調べる。一例として、現在の時刻とタイムスタンプとの間の差が、１０秒よりも長い所定のしきい値よりも大きいときに、タイムスタンプは古すぎる。
【０１７０】
ステップＳ５１２において読み出されたタイムスタンプが古すぎる場合には、プロセッサ３００はステップＳ５０１に戻る。そうでない場合には、プロセッサ３００はステップＳ５１４に進む。
【０１７１】
ステップＳ５１４において、プロセッサ３００は周囲エリアを作成する。一例として、プロセッサ３００は、読み出された位置を中心として有するとともに、或る半径を有する円を作成する。他の例として、プロセッサ３００は、移動端末ＭＴの位置を１組の境界点位置に追加し、新たな中心点、新たな半径を計算して、その中心及び半径を有する円を作成する。
【０１７２】
次のステップＳ５１５において、プロセッサ３００は、その中に周囲エリアを含めることによって、ステップＳ５０５において開示されたエリアのリストを更新する。
【０１７３】
その後、プロセッサ３００はステップＳ５０１に戻る。
【０１７４】
ステップＳ５１６において、プロセッサ３００は、移動端末ＭＴに関連付けられる基地局ＢＳから、移動端末ＭＴに関連付けられない基地局ＢＳへのハンドオーバ又はセル再選択手順が行われたか否かを調べる。
【０１７５】
移動端末ＭＴに関連付けられる基地局ＢＳから、移動端末ＭＴに関連付けられない基地局ＢＳへのハンドオーバ又はセル再選択手順が行われた場合には、プロセッサ３００はステップＳ５１７に進む。そうでない場合には、プロセッサ３００はステップＳ５２０に進む。
【０１７６】
ステップＳ５１７において、プロセッサ３００は、セル再選択又はハンドオーバの前に移動端末ＭＴが位置したセル１５を管理する基地局ＢＳが、移動端末ＭＴに関連付けられる基地局ＢＳであるか否かを調べる。
【０１７７】
セル再選択又はハンドオーバの前に移動端末ＭＴが位置したセル１５を管理する基地局ＢＳが、移動端末ＭＴに関連付けられる基地局ＢＳである場合には、プロセッサ３００はステップＳ５１８に進む。そうでない場合には、プロセッサ３００はステップＳ５０１に戻る。
【０１７８】
ステップＳ５１８において、プロセッサ３００は、ＦｅｍｔｏＴｉｍｅで表される変数が十分に新しいか否かを調べる。
【０１７９】
一例として、現在の時刻と変数ＦｅｍｔｏＴｉｍｅとの間の差が、１０秒よりも長い所定のしきい値よりも大きい場合には、その変数ＦｅｍｔｏＴｉｍｅは新しい。
【０１８０】
ＦｅｍｔｏＴｉｍｅで表される変数が十分に新しい場合には、プロセッサ３００はステップＳ５１９に進む。そうでない場合には、プロセッサ３００はステップＳ５０１に戻る。
【０１８１】
ステップＳ５１９において、プロセッサ３００は、ＲＡＭメモリ３０３に最後に記憶された、位置を表す情報を読み出す。
【０１８２】
その後、プロセッサ３００は、既に説明されているステップＳ５１４に進む。
【０１８３】
ステップＳ５２０において、プロセッサ３００は、移動端末ＭＴが、その移動端末ＭＴに関連付けられる基地局ＢＳのセル１５によってサービス提供(cover)されているか否かを調べる。
【０１８４】
移動端末ＭＴが、その移動端末ＭＴに関連付けられる基地局ＢＳのセル１５によってサービス提供されている場合には、プロセッサ３００はステップＳ５２１に進む。そうでない場合には、プロセッサ３００はステップＳ５２５に進む。
【０１８５】
ステップＳ５２１において、プロセッサ３００は、変数ＬａｓｔＦｅｍｔｏＴｉｍｅを現在の時刻に設定する。
【０１８６】
その後、プロセッサ３００はステップＳ５０１に戻る。
【０１８７】
ステップＳ５２５において、プロセッサ３００は、移動端末ＭＴに関連付けられる基地局ＢＳによって管理されるセル以外のセル１５を識別する信号が検出されるか否かを調べる。
【０１８８】
移動端末ＭＴに関連付けられる基地局ＢＳによって管理されるセル１５以外のセル１５を識別するいくつかの信号が検出される場合には、プロセッサ３００はステップＳ５０１に戻る。
【０１８９】
移動端末ＭＴに関連付けられる基地局ＢＳによって管理されるセル１５以外のセル１５を識別する信号が検出されない場合には、プロセッサ３００はステップＳ５２６に進む。
【０１９０】
ステップＳ５２６において、プロセッサ３００は、ステップＳ５０４において記憶された最後の位置及び関連するタイムスタンプを読み出す。
【０１９１】
次のステップＳ５２７において、プロセッサ３００は、ステップＳ５２６において読み出されたタイムスタンプが古すぎないか否かを調べる。一例として、現在の時刻とタイムスタンプとの間の差が、１０秒よりも長い所定のしきい値よりも大きいときに、そのタイムスタンプは古すぎる。
【０１９２】
ステップＳ５２６において読み出されたタイムスタンプが古すぎる場合には、プロセッサ３００はステップＳ５０１に戻る。そうでない場合には、プロセッサ３００は、既に開示されているステップＳ５１４に進む。
【０１９３】
図６は、移動端末が全地球的航法衛星システムを備えないときに移動端末によって実行されるアルゴリズムを示す。
【０１９４】
より厳密には、本アルゴリズムは、移動端末ＭＴのプロセッサ３００によって実行される。
【０１９５】
ステップＳ６００において、移動端末ＭＴのプロセッサ３００は、Ｔｉｍｅｒで表されるタイマが満了するか否か、又はハンドオーバ若しくはセル再選択手順が行われたか否かを調べる。
【０１９６】
タイマＴｉｍｅｒが満了する場合、又はハンドオーバ若しくはセル再選択手順が行われた場合には、プロセッサ３００はステップＳ６０１に進む。そうでない場合には、プロセッサ３００はステップＳ６１０に進む。
【０１９７】
ステップＳ６０１において、プロセッサ３００は、新たに選択されたセル１５を管理する基地局ＢＳのセル識別子を用いて、移動端末ＭＴの現在位置を推定する。
【０１９８】
ステップＳ６０２において、プロセッサ３００は、位置を表す情報、すなわちセル識別子を、タイムスタンプと共にＲＡＭメモリ３０３に記憶する。他の例として、位置を表す情報は、周囲にある複数の基地局ＢＳから受信される信号の到着時刻及び／又は到来角を含む。
【０１９９】
次のステップＳ６０３において、プロセッサ３００は、ステップＳ６０１において得られた位置が、移動端末ＭＴに関連付けられる基地局ＢＳの地理的エリアに含まれるか否かを調べる。
【０２００】
そのために、プロセッサ３００は、ステップＳ６０２において記憶されたセル識別子が、移動端末ＭＴに関連付けられる１つ又は複数の基地局ＢＳに関連するエリアのリストに含まれるか否かを調べる。
【０２０１】
ステップＳ６０１において得られた位置が、移動端末ＭＴに関連付けられる基地局ＢＳの地理的エリアに対応する場合には、プロセッサ３００はステップＳ６０４に進む。
【０２０２】
そうでない場合には、プロセッサ３００はステップＳ６００に戻る。
【０２０３】
ステップＳ６０４において、プロセッサ３００は、移動端末ＭＴに関連付けられ、且つステップＳ６０３において特定されたように移動端末ＭＴの位置が含まれる地理的エリアに関連付けられる基地局ＢＳの識別子を入手する。
【０２０４】
次のステップＳ６０５において、プロセッサ３００は、ステップＳ６０４において得られた基地局ＢＳの識別子、及び／又は移動端末ＭＴの位置を表す情報を含む、ＲｅｑＡｃｔｉｖａｔｅで表される所定のメッセージを、サーバ１０、又は移動端末ＭＴを管理する基地局ＢＳに転送するように指示する。
【０２０５】
ＲｅｑＡｃｔｉｖａｔｅメッセージは、移動端末ＭＴが位置するセル１５を現時点で管理している基地局ＢＳを通じて転送されるか、又は移動端末ＭＴが位置するセル１５を現時点で管理している基地局ＢＳを通じて且つ代理サーバ５０を通じて転送される。
【０２０６】
一変形形態では、プロセッサ３００は、送信機３０７を介して、所定の信号を基地局ＢＳに転送するように指示する。
【０２０７】
次のステップＳ６０６において、プロセッサ３００はタイマＴｉｍｅｒを起動する。
【０２０８】
その後、プロセッサ３００はステップＳ６００に戻る。
【０２０９】
ステップＳ６１０において、プロセッサ３００は、エリアのリストがセットアップされる必要があるか否かを調べる。エリアのリストは、マンマシンインタフェース３０４において人が作業することによってセットアップされる必要がある。
【０２１０】
エリアのリストがセットアップされる必要がある場合には、プロセッサ３００はステップＳ６１１に進む。そうでない場合には、プロセッサ３００はステップＳ６２０に進む。
【０２１１】
ステップＳ６１１において、プロセッサ３００は、移動端末ＭＴが位置するセル１５を含めることによって、又は地理的エリアの１組の境界点に移動端末ＭＴの位置を追加することによって、又はマンマシンインタフェースによって示される少なくとも１つの位置を地理的エリアの境界点のリストに追加することによって、エリアのリストを更新する。その後、プロセッサ３００はステップＳ６００に戻る。
【０２１２】
ステップＳ６２０において、プロセッサ３００は、移動端末ＭＴが、その移動端末ＭＴに関連付けられる基地局ＢＳのセル１５内にあるか否かを調べる。
【０２１３】
移動端末ＭＴが、その移動端末ＭＴに関連付けられる基地局ＢＳによってサービス提供されている場合には、プロセッサ３００はステップＳ６２１に進む。そうでない場合には、プロセッサ３００はステップＳ６３０に進む。
【０２１４】
ステップＳ６２１において、プロセッサ３００は、移動端末ＭＴに関連付けられる基地局ＢＳによって管理されるセル１５以外のセル１５を識別する信号が検出されるか否かを調べる。
【０２１５】
移動端末ＭＴに関連付けられる基地局ＢＳによって管理されるセル１５以外のセル１５を識別するいくつかの信号が検出される場合には、プロセッサ３００はステップＳ６２４に進む。
【０２１６】
移動端末ＭＴに関連付けられる基地局ＢＳによって管理されるセル１５以外のセル１５を識別する信号が検出されない場合には、プロセッサ３００はステップＳ６２２に進む。
【０２１７】
ステップＳ６２２において、プロセッサ３００は、ステップＳ６０２において記憶された最後の位置及び関連するタイムスタンプを読み出す。
【０２１８】
次のステップＳ６２３において、プロセッサ３００は、ステップＳ６２２において読み出されたタイムスタンプが古すぎないか否かを調べる。一例として、現在の時刻とタイムスタンプとの間の差が１０秒よりも長い所定のしきい値よりも大きいときに、タイムスタンプは古すぎる。
【０２１９】
ステップＳ６２２において読み出されたタイムスタンプが古すぎる場合には、プロセッサ３００はステップＳ６００に戻る。そうでない場合には、プロセッサ３００はステップＳ６２６に進む。
【０２２０】
ステップＳ６２４において、プロセッサ３００は、移動端末ＭＴによって関連付けられる基地局ＢＳによって報知される、セル１５を識別する信号を入手する。
【０２２１】
次のステップＳ６２５において、プロセッサ３００は、ステップＳ６２４において得られた信号に対応するセル１５の識別子を入手する。
【０２２２】
次のステップＳ６２６において、プロセッサ３００は、周囲エリアを作成する。一例として、プロセッサ３００は、ステップＳ６２２において読み出されるか、又はステップＳ６２５若しくはＳ６３１において得られる、基地局ＢＳ又はセル１５の識別子を入手する。
【０２２３】
次のステップＳ６２７において、プロセッサ３００は、ステップＳ６２６において得られた識別子を含めることによって、エリアのリストを更新する。
【０２２４】
その後、プロセッサ３００はステップＳ６００に戻る。
【０２２５】
ステップＳ６３０において、プロセッサ３００は、移動端末ＭＴに関連付けられる基地局ＢＳから別の基地局ＢＳへのハンドオーバ又はセル再選択手順が実行されたか否かを調べる。
【０２２６】
移動端末ＭＴに関連付けられる基地局ＢＳから別の基地局ＢＳへのハンドオーバ又はセル再選択手順が実行されていない場合には、プロセッサ３００はステップＳ６００に戻る。
【０２２７】
移動端末ＭＴに関連付けられる基地局ＢＳから別の基地局ＢＳへのハンドオーバ又はセル再選択手順が実行された場合には、プロセッサ３００はステップＳ６３１に進む。
【０２２８】
次のステップＳ６３１において、プロセッサ３００は、他の基地局ＢＳのセル１５の識別子を入手する。
【０２２９】
その後、プロセッサ３００は、既に説明されているステップＳ６２６に進む。
【０２３０】
図７は、本発明の第１の実現形態による、サーバによって実行されるアルゴリズムを示す。
【０２３１】
より厳密には、本アルゴリズムはサーバ１０のプロセッサ４００によって実行される。
【０２３２】
ステップＳ７００において、プロセッサ４００は、移動端末ＭＴからＲｅｑＡｃｔｉｖａｔｅメッセージが受信されるか否かを調べる。ＲｅｑＡｃｔｉｖａｔｅメッセージは、移動端末ＭＴが、その移動端末ＭＴに関連付けられる基地局ＢＳの地理的エリア内に位置することを示す。ＲｅｑＡｃｔｉｖａｔｅメッセージは、移動端末ＭＴに関連付けられる基地局ＢＳの識別子、又は移動端末の位置を表す情報を含む場合がある。
【０２３３】
ＲｅｑＡｃｔｉｖａｔｅメッセージが受信される場合には、プロセッサ４００はステップＳ７０１に進む。そうでない場合には、プロセッサ４００はステップＳ７０６に進む。
【０２３４】
一変形形態では、プロセッサ４００は、移動端末ＭＴ毎にエリアのリストを維持し、図５のステップＳ５０５〜Ｓ５０８を実行し、図５において開示されたように、移動端末ＭＴが、その移動端末ＭＴに関連付けられる基地局ＢＳの地理的エリア内に位置することを判断する。
【０２３５】
別の変形形態では、プロセッサ４００は、移動端末ＭＴに関連付けられる基地局ＢＳの隣接基地局である基地局ＢＳを通じて、移動端末ＭＴによって転送されるメッセージを受信する。そのメッセージは、ハンドオーバ要求メッセージ、又はトラッキングエリア更新メッセージ、又は基地局ＢＳによってサーバ１０に与えられる任意の他のＳ１−ＡＰ又はＮＡＳ（基地局ＢＳを介して、又は基地局ＢＳ及び代理サーバ５０を介して、移動端末ＭＴとサーバ１０との間で交換される非アクセス層(Non Access Stratum)）メッセージとすることができる。
【０２３６】
ステップＳ７０１において、識別された基地局ＢＳが、その基地局ＢＳが管理するセル１５において信号を転送するか否かを知るために、プロセッサ４００は、移動端末ＭＴに関連付けられる基地局ＢＳの識別子を鍵として用いて、データベースを調べる。
【０２３７】
ここで、移動端末ＭＴに関連付けられる基地局が１つしか存在しない場合には、基地局ＢＳの識別子はＲｅｑＡｃｔｉｖａｔｅメッセージに含まれる必要がないことに留意されたい。
【０２３８】
次のステップＳ７０２において、プロセッサ４００は、識別された基地局ＢＳが、その基地局ＢＳが管理するセル１５において信号を転送するか否かを調べる。
【０２３９】
識別された基地局ＢＳが、その基地局ＢＳが管理するセル１５において信号を転送する場合には、プロセッサ４００はステップＳ７０５に進む。そうでない場合には、プロセッサ４００はステップＳ７０３に進む。
【０２４０】
ステップＳ７０３において、プロセッサ４００は、識別された基地局ＢＳとの通信リンクが閉じられるか否かを調べる。
【０２４１】
通信リンク、一例として、サーバ１０と基地局ＢＳ１との間の通信リンクは、通信リンク２５1が解放されるときに閉じられる。
【０２４２】
通信リンクが閉じられる場合には、プロセッサ４００はステップＳ７０４に進む。そうでない場合には、プロセッサ４００はステップＳ７０５に進む。
【０２４３】
ステップＳ７０４において、プロセッサ４００は、識別された基地局ＢＳとの通信リンクを確立するように指示する。
【０２４４】
そのために、プロセッサ４００は、ＲＡＭメモリ４０３において接続パラメータ及びセキュリティパラメータを読み出し、ネットワークインタフェース４０４に、読み出されたパラメータを用いて識別された基地局ＢＳとの通信リンクを確立するように指示する。プロセッサ４００は、識別された基地局ＢＳのセル１５の隣接セル１５を管理し、且つ管理しているそれぞれのセル１５の中に現時点で信号を転送している基地局ＢＳを識別する情報を含むリストを転送するように指示する。
【０２４５】
次のステップＳ７０５において、プロセッサ４００は、識別された基地局ＢＳに、ＲｅｑＷａｋｅｕｐ（）で表される所定のメッセージを転送するように指示する。
【０２４６】
そのメッセージは、基地局ＢＳに、その基地局ＢＳによって管理されるセル１５において信号を転送するように要求する。
【０２４７】
その後、プロセッサ４００はステップＳ７００に戻る。
【０２４８】
ステップＳ７０６において、プロセッサ４００は、ＡｎｓＷａｋｅＵＰ（）で表されるメッセージが基地局ＢＳから受信されるか否かを調べる。メッセージＡｎｓＷａｋｅＵＰ（）は、基地局ＢＳが、その基地局ＢＳが管理するセル１５において信号を転送することを通知する。
【０２４９】
メッセージＡｎｓＷａｋｅＵＰ（）が受信される場合には、プロセッサ４００はステップＳ７０７に進む。そうでない場合には、プロセッサ４００はステップＳ７０９に進む。
【０２５０】
ステップＳ７０７において、プロセッサ４００は、データベースにおいて、メッセージＡｎｓＷａｋｅＵＰ（）を送信した基地局ＢＳのステータスを稼動（アクティブ）に設定する。
【０２５１】
その後、プロセッサ４００はステップＳ７００に戻る。
【０２５２】
ステップＳ７０９において、プロセッサ４００は、ＳｔａｎｄＢｙ（）で表されるメッセージが基地局ＢＳから受信されるか否か、又はサーバ１０と基地局ＢＳとの間の接続が閉じられるか否かを調べる。メッセージＳｔａｎｄＢｙ（）は、基地局ＢＳが、その基地局ＢＳが管理するセル１５における信号の転送を不能にすることを知らせる。
【０２５３】
ＳｔａｎｄＢｙ（）で表されるメッセージが基地局ＢＳから受信される場合、又はサーバ１０と基地局ＢＳとの間の接続が閉じられる場合には、プロセッサ４００はステップＳ７１０に進む。そうでない場合には、プロセッサ４００はステップＳ７００に戻る。
【０２５４】
ステップＳ７１０において、プロセッサ４００は、データベースにおいて、メッセージＡｎｓＷａｋｅＵＰ（）を送信した基地局のステータスを待機（スタンバイ）に設定する。
【０２５５】
その後、プロセッサ４００はステップＳ７００に戻る。
【０２５６】
図８は、本発明の第２の実現形態による、移動端末が位置するセルを管理する基地局によって実行されるアルゴリズムを示す。
【０２５７】
より厳密には、本アルゴリズムは、移動端末ＭＴが位置するセル１５を管理する基地局ＢＳのプロセッサ２００によって実行される。
【０２５８】
ステップＳ８００において、プロセッサ２００は、移動端末ＭＴからＲｅｑＡｃｔｉｖａｔｅメッセージが受信されるか否かを調べる。ＲｅｑＡｃｔｉｖａｔｅメッセージは、移動端末ＭＴが、その移動端末ＭＴが関連付けられる基地局ＢＳの地理的エリア内に位置することを示す。ＲｅｑＡｃｔｉｖａｔｅメッセージは、移動端末ＭＴに関連付けられる基地局ＢＳの識別子、又は移動端末の位置を表す情報を含む場合がある。
【０２５９】
ＲｅｑＡｃｔｉｖａｔｅメッセージが受信される場合には、プロセッサ２００はステップＳ８０１に進む。そうでない場合には、プロセッサ２００はステップＳ８０６に進む。
【０２６０】
ステップＳ８０１において、プロセッサ２００は、識別された基地局ＢＳが、その基地局ＢＳが管理するセル１５において信号を転送するか否かを知るために、移動端末ＭＴに関連付けられる基地局ＢＳの識別子を鍵として用いて、データベースを調べる。
【０２６１】
ここで、移動端末ＭＴに関連付けられる基地局が１つしか存在しない場合には、基地局ＢＳの識別子は、ＲｅｑＡｃｔｉｖａｔｅメッセージに含まれる必要がないことに留意されたい。
【０２６２】
次のステップにおいて、プロセッサ２００は、識別された基地局ＢＳが、その基地局ＢＳが管理するセル１５において信号を転送するか否かを調べる。
【０２６３】
識別された基地局ＢＳが、その基地局ＢＳが管理するセル１５において信号を転送する場合には、プロセッサ２００はステップＳ８０５に進む。そうでない場合には、プロセッサ２００はステップＳ８０３に進む。
【０２６４】
ステップＳ８０３において、プロセッサ２００は、識別された基地局ＢＳとの通信リンクが閉じられるか否かを調べる。
【０２６５】
通信リンク、一例として、基地局ＢＳ２と基地局ＢＳ１との間の通信リンクは、通信リンク３５2aが解放される場合に、又は通信リンク３５2が解放される場合に閉じられる。
【０２６６】
通信リンクが閉じられる場合には、プロセッサ２００はステップＳ８０４に進む。そうでない場合には、プロセッサ２００はステップＳ８０５に進む。
【０２６７】
ステップＳ８０４において、プロセッサ２００は、識別された基地局ＢＳとの通信リンクを確立するように指示する。
【０２６８】
そのために、プロセッサ２００は、ＲＡＭメモリ３０３において、接続パラメータ及びセキュリティパラメータを読み出し、ネットワークインタフェース２０４に、読み出されたパラメータを用いて識別された基地局ＢＳとの通信リンクを確立するように指示する。
【０２６９】
その通信リンクが代理サーバ５０を経由するとき、代理サーバは、識別された基地局ＢＳとの通信リンクを確立する。
【０２７０】
次のステップＳ８０５において、プロセッサ２００は、ＲｅｑＷａｋｅｕｐ（）で表される所定のメッセージを識別された基地局ＢＳに転送するように指示する。
【０２７１】
そのメッセージは、基地局ＢＳに、その基地局ＢＳによって管理されるセル１５において信号を転送するように要求する。
【０２７２】
その後、プロセッサ２００はステップＳ８００に戻る。
【０２７３】
ステップＳ８０６において、プロセッサ２００は、ＡｎｓＷａｋｅＵＰ（）で表されるメッセージが基地局ＢＳから受信されるか否かを調べる。メッセージＡｎｓＷａｋｅＵＰ（）は、基地局ＢＳが、その基地局ＢＳが管理するセル１５において信号を転送することを通知する。
【０２７４】
メッセージＡｎｓＷａｋｅＵＰ（）が受信される場合には、プロセッサ２００はステップＳ８０７に進む。そうでない場合には、プロセッサ２００はステップＳ８０９に進む。
【０２７５】
ステップＳ８０７において、プロセッサ２００は、データベースにおいて、メッセージＡｎｓＷａｋｅＵＰ（）を送信した基地局ＢＳのステータスを稼動（アクティブ）に設定する。
【０２７６】
その後、プロセッサ２００はステップＳ８００に戻る。
【０２７７】
ステップＳ８０９において、プロセッサ２００は、ＳｔａｎｄＢｙ（）で表されるメッセージが基地局ＢＳから受信されるか否か、又は基地局ＢＳと別の基地局ＢＳとの間の接続が閉じられるか否かを調べる。メッセージＳｔａｎｄＢｙ（）は、他の基地局ＢＳが、他の基地局ＢＳが管理するセル１５における信号の転送を不能にすることを通知する。
【０２７８】
ＳｔａｎｄＢｙ（）で表されるメッセージが別の基地局ＢＳから受信される場合、又は他の基地局ＢＳと基地局ＢＳとの間の接続が閉じられる場合には、プロセッサ２００はステップＳ８１０に進む。そうでない場合には、プロセッサ２００はステップＳ８００に戻る。
【０２７９】
ステップＳ８１０において、プロセッサ２００は、データベースにおいて、メッセージＡｎｓＷａｋｅＵＰ（）を送信した基地局のステータスを待機（スタンバイ）に設定する。
【０２８０】
その後、プロセッサ２００はステップＳ８００に戻る。
【０２８１】
図９は、本発明による、そのセルにおいて信号を転送するように要求されるか、又はそのように要求された基地局によって実行されるアルゴリズムを示す。
【０２８２】
より厳密には、本アルゴリズムは、基地局ＢＳのプロセッサ２００によって実行される。
【０２８３】
ステップＳ９００において、プロセッサ２００は、所定のメッセージが受信されるか否かを調べる。
【０２８４】
第１の実現形態及び第２の実現形態によれば、所定のメッセージは、サーバ１０によって、又は隣接する基地局ＢＳによって転送され、図７のステップＳ７０５において、又は図８のステップＳ８０５において開示されるようなＲｅｑＷａｋｅＵＰ（）メッセージである。
【０２８５】
一変形形態では、そのメッセージは、図５のステップＳ５０９において、又は図６のステップＳ６０５において開示されるような、移動端末ＭＴによって転送される所定の信号である。
【０２８６】
所定のメッセージが受信される場合には、プロセッサ２００はステップＳ９０１に進む。そうでない場合には、プロセッサ２００はステップＳ９０４に進む。
【０２８７】
ステップＳ９０１において、プロセッサ２００は、無線インタフェース２０６に、基地局ＢＳのセル１５において信号を転送できるように指示する。
【０２８８】
次のステップＳ９０２において、プロセッサ２００は、ＡｎｓＷａｋｅＵＰ（）で表されるメッセージを、第１の実現形態に従ってサーバ１０に、又は第２の実現形態に従って隣接する各基地局ＢＳに転送するように指示する。メッセージＡｎｓＷａｋｅＵＰ（）は、基地局ＢＳが、その基地局ＢＳが管理するセル１５において信号を転送することを通知する。
【０２８９】
次のステップＳ９０３において、プロセッサ２００は、ｉｎａｃｔｉｖｉｔｙで表されるタイマを起動する。
【０２９０】
その後、プロセッサ２００はステップＳ９００に戻る。
【０２９１】
ステップＳ９０４において、プロセッサ２００は、サーバ１０によって、又は代理サーバ５０によって、通信リンクが確立されるように要求されるか否かを調べる。
【０２９２】
通信リンクが確立されるように要求される場合には、プロセッサ２００はステップＳ９０５に進む。そうでない場合には、プロセッサ２００はステップＳ９０６に進む。
【０２９３】
ステップＳ９０５において、プロセッサ２００は、サーバ１０又は代理サーバ５０との通信リンクを確立するように指示する。
【０２９４】
そのために、プロセッサ２００は、ＲＡＭメモリ２０３において、接続パラメータ及びセキュリティパラメータを読み出し、読み出されたパラメータを用いてサーバ１０又は代理サーバ５０との通信リンクを確立するようにネットワークインタフェース２０４に指示する。プロセッサ２００は、確立されたリンクを通じて、基地局ＢＳのセル１５の隣接セルを管理し、且つ管理しているそれぞれのセル１５の中に現時点で信号を転送している基地局ＢＳを識別する情報を含むリストを受信する。
【０２９５】
異なる実現形態によれば、プロセッサ２００は、代理サーバ５０を通じて又は通じずに、リストにおいて識別された各基地局ＢＳとの通信リンクを確立するように指示する。
【０２９６】
その後、プロセッサ２００はステップＳ９００に戻る。
【０２９７】
ステップＳ９０６において、プロセッサ２００は、タイマｉｎａｃｔｉｖｉｔｙが満了するか否かを調べる。
【０２９８】
タイマｉｎａｃｔｉｖｉｔｙが満了する場合には、プロセッサ２００はステップＳ９０７に進む。そうでない場合には、プロセッサ２００はステップＳ９００に戻る。
【０２９９】
ステップＳ９０７において、プロセッサ２００は、その基地局ＢＳによって管理されるセル１５内に、現時点で稼動している、すなわち、現時点で通信に関与する移動端末ＭＴが存在するか否かを調べる。
【０３００】
基地局ＢＳによって管理されるセル１５内に現時点で稼動している移動端末ＭＴが存在しない場合には、プロセッサ２００はステップＳ９０８に進む。そうでない場合には、プロセッサ２００は、ステップＳ９１５に進む。
【０３０１】
ステップＳ９１５において、プロセッサ２００はタイマｉｎａｃｔｉｖｉｔｙを再始動する。
【０３０２】
その後、プロセッサ２００はステップＳ９００に戻る。
【０３０３】
ステップＳ９０８において、プロセッサ２００は、基地局ＢＳによって管理されるセル１５内に、現時点で待受(camp)している、すなわち現時点で通信に関与していない移動端末ＭＴが存在するか否かを調べる。
【０３０４】
基地局ＢＳによって管理されるセル１５内に現時点で位置する移動端末ＭＴが存在しない場合には、プロセッサ２００はステップＳ９０９に進む。そうでない場合には、プロセッサ２００はステップＳ９１５に進む。
【０３０５】
ステップＳ９０９において、プロセッサ２００は、無線インタフェース２０６に、基地局ＢＳによって管理されるセル１５における信号の転送を不能にするように指示する。
【０３０６】
次のステップ９１０において、プロセッサ２００は、ＳｔａｎｄＢｙ（）で表されるメッセージを、サーバ１０に、又は隣接する各基地局ＢＳに転送するように指示する。メッセージＳｔａｎｄＢｙ（）は、基地局ＢＳが、その基地局ＢＳが管理するセル１５における信号の転送を不能にすることを通知する。
【０３０７】
次のステップＳ９１１において、プロセッサ２００は、サーバ１０と基地局ＢＳとの間の接続、又は基地局ＢＳと代理サーバ５０との間の接続を解放するように指示する。プロセッサ２００は、隣接する各基地局ＢＳと基地局ＢＳとの間の各接続、又は基地局ＢＳと代理サーバ５０との間の各接続を解放するように指示する。
【０３０８】
その後、プロセッサ２００はステップＳ９００に戻る。
【０３０９】
当然、本発明の範囲から逸脱することなく、上記の本発明の実施形態に対して、数多くの変更を加えることができる。
【図１ａ】
2011507420.tif 000003
【図１ｂ】
2011507420.tif 000004
【図２】
2011507420.tif 000005
【図３】
2011507420.tif 000006
【図４】
2011507420.tif 000007
【図５】
2011507420.tif 000008
【図６】
2011507420.tif 000009
【図７】
2011507420.tif 000010
【図８】
2011507420.tif 000011
【図９】
2011507420.tif 000012
【国際調査報告】
2011507420.tif 000013
2011507420.tif 000014
2011507420.tif 000015